Podtech/llm-jp-corpus-v4-ja_patent huggingface dataset:
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
光出射面を有し、前記光出射面の一部から光を放射する半導体発光素子を用意する工程と、
前記光を透過させる光透過窓を有し、前記半導体発光素子を収納する容器を用意する工程と、
前記半導体発光素子を前記容器内に収納し、前記半導体発光素子を大気から遮断する工程と、
前記容器の内部において、前記半導体発光素子の前記光出射面の前記一部以外に位置する領域を、光で照射することにより、炭素およびシリコンの少なくとも一方を含む物質のゲッタリングを行なう工程と、
を包含する光源の製造方法。
【請求項２】
前記ゲッタリングを行なう工程で照射する光の波長は４５０ｎｍ以下である、請求項１に記載の製造方法。
【請求項３】
Ｈｇランプ、青色ＬＥＤ、青色レーザ、紫外線ＬＥＤ、または紫外線レーザを使用して前記光を照射する請求項２に記載の製造方法。
【請求項４】
前記半導体発光素子は、ＩＩＩ−Ｖ族窒化物系半導体材料から形成されている請求項１に記載の半導体発光素子の製造方法。
【請求項５】
光出射面を有し、前記光出射面の一部から光を放射する半導体発光素子と、
前記短波長光を透過させる光透過窓を有し、かつ前記半導体発光素子を収納する容器と、
炭素およびシリコンの少なくとも一方を含む物質のゲッタリングを行なうゲッタリング部とを備え、
前記ゲッタリング部は、前記容器内において、前記半導体発光素子における前記光出射面の前記一部以外の領域に位置している、光源。
【請求項６】
前記半導体発光素子は、
基板と、
前記基板上に形成され、第１導電型クラッド層、活性層、および第２導電型クラッド層を含む積層構造と、
前記活性層の第１領域にキャリアを注入するためのメイン電流狭窄構造と、
前記活性層の第２領域にキャリアを注入するためのサブ電流狭窄構造と、
を有しており、
前記光出射面のうち、前記活性層の第２領域で発生した光が出射される部分が前記ゲッタリング部として機能する、請求項５に記載の光源。
【請求項７】
前記容器は、
前記半導体発光素子が載せられる支持部材と、
前記光透過窓が固着され、かつ、前記半導体発光素子をカバーするキャップとを有しており、
前記ゲッタリング部は前記支持部材上に位置している、請求項５に記載の光源。
【請求項８】
前記容器は、
前記半導体発光素子が載せられた支持部材と、
前記光透過窓が固着され、かつ、前記半導体発光素子をカバーするキャップと、
を有しており、
前記ゲッタリング部は、前記光透過窓の内側面のうち、前記光で照射されない領域に位置している、請求項５に記載の光源。
【請求項９】
前記半導体発光素子は、ＩＩＩ−Ｖ族窒化物系半導体材料から形成されている請求項５から８のいずれかに記載の光源。
【請求項１０】
前記容器内において前記光で照射される領域の一部にＴｉＯ2層が形成されている請求項５に記載の光源。
【請求項１１】
前記半導体発光素子の発振波長をλ、前記ＴｉＯ2層の屈折率をｎとするとき、前記ＴｉＯ2層の厚さは略λ／（２ｎ）の整数倍である請求項１０に記載の光源。
【請求項１２】
光出射面を有し、前記光出射面の一部から光を放射する半導体発光素子と、
受光素子と、
前記短波長光を透過させる光透過窓を有し、前記半導体発光素子および前記受光素子を収納する容器と、
炭素およびシリコンの少なくとも一方を含む物質のゲッタリングを行なうゲッタリング部とを備え、
前記ゲッタリング部は、前記容器内において、前記半導体発光素子における前記光出射面の前記一部以外の領域に位置している、光学ユニット。
【請求項１３】
前記光の波長は４５０ｎｍ以下である、請求項１２に記載の光学ユニット。
【請求項１４】
光出射面を有し、前記光出射面の一部から光を放射する半導体発光素子と、
前記半導体発光素子から放射された光を記録媒体に集光する光学系と、
前記記録媒体によって反射された光を検出する光検出器と、
炭素およびシリコンの少なくとも一方を含む物質のゲッタリングを行なうゲッタリング部と、
を備えた光ピックアップ装置であって、
前記ゲッタリング部は、前記半導体発光素子における前記光出射面の前記一部以外の領域に位置する光ピックアップ装置。
【請求項１５】
前記光の波長は４５０ｎｍ以下である、請求項１４に記載の光ピックアップ装置。
【請求項１６】
前記半導体発光素子を支持する半導体基板を有し、
前記光検出器は前記半導体基板に形成された複数のフォトダイオードを有している、請求項１５に記載の光ピックアップ装置。
【請求項１７】
前記半導体基板は、シリコンから形成されており、
前記半導体基板は、その主面に形成された凹部と、前記凹部の一側面に形成されたマイクロミラーとを有しており、
前記半導体発光素子は、前記シリコン基板の前記凹部内に配置され、前記半導体発光素子から放射された光が前記マイクロミラーで前記主面にほぼ垂直な方向に進むように前記マイクロミラーと前記主面との角度が設定されている請求項１５に記載の光ピックアップ装置。
【請求項１８】
前記半導体発光素子は、ＩＩＩ−Ｖ族窒化物系半導体材料から形成されている請求項１５から１７のいずれかに記載の光ピックアップ装置。
【請求項１９】
光出射面を有し、前記光出射面の一部から光を放射する半導体発光素子と、
炭素およびシリコンの少なくとも一方を含む物質のゲッタリング、分解、または気化を行なう装置と、
を備えた電子機器。
【請求項２０】
前記装置は、プラズマを発生する装置である請求項１９に記載の電子機器。
【請求項２１】
前記装置は、波長４５０ｎｍ以下の光を放射する光源を有している請求項１９に記載の電子機器。
【請求項２２】
前記光源から放射される光の少なくとも一部を受ける位置に設けられた光触媒効果材料膜を更に有しており、前記光触媒効果材料膜は、炭素またはＳｉの化合物を分解し、気化する機能を有している、請求項２１に記載の電子機器。
【請求項２３】
前記光源は、Ｈｇランプ、青色ＬＥＤ、青色レーザ、紫外線ＬＥＤ、または紫外線レーザである請求項２１に記載の電子機器。
【請求項２４】
前記半導体発光素子が、ＩＩＩ−Ｖ族窒化物系半導体材料から形成されている請求項１９から２３のいずれかに記載の電子機器。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
レーザ発振器と、
前記レーザ発振器から発振されたレーザビームを平行移動させ、所定の位置からのずれを修正することによって前記レーザビームを前記所定の位置に保つ機能を有する透光性の平行平板と、
前記透光性の平行平板を通過したレーザビームの強度分布を照射面において均一にする光学系とを有することを特徴とするレーザ照射装置。
【請求項２】
レーザ発振器と、
前記レーザ発振器から発振されたレーザビームの所定の位置を記録し、前記レーザビームの前記所定の位置からのずれを検出する記録機能を有する位置検出手段と、
前記レーザ発振器から発振されたレーザビームを平行移動させ、所定の位置からのずれを修正することによって前記レーザビームを前記所定の位置に保つ機能を有する透光性の平行平板と、
前記透光性の平行平板を通過したレーザビームの強度分布を照射面において均一にする光学系とを有することを特徴とするレーザ照射装置。
【請求項３】
請求項１又は２において、前記透光性の平行平板は、前記レーザビームの進行方向に垂直な直線又は、平行な直線を軸として回転することによって前記レーザビームのずれを修正することを特徴とするレーザ照射装置。
【請求項４】
請求項２又は３において、前記位置検出手段は、ＣＣＤカメラであることを特徴とするレーザ照射装置。
【請求項５】
請求項１乃至４のいずれか一において、前記透光性の平行平板は平板ガラスであることを特徴とするレーザ照射装置。
【請求項６】
基板に非晶質半導体膜を形成し、
レーザ発振器からレーザビームを発振し、
前記レーザビームの所定の位置からのずれを修正し、且つ前記レーザビームを前記所定の位置に保つために透光性の平行平板を前記レーザビームの進行方向に垂直な直線を軸として回転させることにより前記レーザビームを平行移動させ、
前記透光性の平行平板を通過したレーザビームの強度分布を光学系により前記非晶質半導体膜表面において均一化し、
前記均一化したレーザビームを前記非晶質半導体膜表面に照射することによってレーザアニールすることを特徴とする半導体装置の作製方法。
【請求項７】
基板に非晶質半導体膜を形成し、
レーザ発振器からレーザビームを発振し、
前記レーザ発振器より発振されたレーザビームの所定の位置を記録し、
前記所定の位置からの前記レーザビームのずれを検出し、
前記レーザビームの所定の位置からのずれを修正し、且つ前記レーザビームを前記所定の位置に保つために透光性の平行平板を前記レーザビームの進行方向に垂直な直線を軸として回転させることにより前記レーザビームを平行移動させ、
前記透光性の平行平板を通過したレーザビームの強度分布を光学系により前記非晶質半導体膜表面において均一化し、
前記均一化したレーザビームを前記非晶質半導体膜表面に照射することによってレーザアニールすることを特徴とする半導体装置の作製方法。
【請求項８】
請求項６又は７において、前記透光性の平行平板は、前記レーザビームの進行方向に平行な直線を軸として回転することによって、前記レーザビームの前記所定の位置からのずれを修正することを特徴とする半導体装置の作製方法。
【請求項９】
請求項７又は９において、前記レーザビームの所定の位置を記録し、
前記所定の位置からの前記レーザビームのずれを検出するためにＣＣＤカメラを用いることを特徴とする半導体装置の作製方法。
【請求項１０】
請求項６乃至９のいずれか一において、前記透光性の平行平板は平板ガラスであることを特徴とする半導体装置の作製方法。
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
光電変換素子と、
前記光電変換素子にソース又はドレインの一方が接続され、前記ソース又はドレインの他方がリセット用電源に接続されるリセット用トランジスタと、
前記光電変換素子にゲートが接続され、ソース又はドレインの一方が読み出し用電源に接続される読み出し用トランジスタと、
前記読み出し用トランジスタの前記ソース又はドレインの他方に接続された選択用トランジスタと、
を備えた画素と、
前記画素に接続された信号線と、
前記信号線に接続された定電流源と、
を絶縁性支持体上に備え、
前記信号線に接続された読み出し手段を有する光電変換装置であって、
前記定電流源は、前記画素よりも前記読み出し手段から離間した前記信号線上の位置に設けられていることを特徴とする光電変換装置。
【請求項２】
前記読み出し手段は、
前記信号線に接続されたアンプと、
前記アンプに接続されたアナログマルチプレクサと、
を有することを特徴とする請求項１に記載の光電変換装置。
【請求項３】
前記アナログマルチプレクサは前記絶縁性支持体上に、アモルファスシリコン又はポリシリコンの薄膜トランジスタを用いて形成されていることを特徴とする請求項２に記載の光電変換装置。
【請求項４】
前記定電流源は、ゲートに定電流源用電源が接続された定電流源用トランジスタを有することを特徴とする請求項１乃至３のいずれか１項に記載の光電変換装置。
【請求項５】
前記定電流源用電源は、前記定電流源用トランジスタのゲートに、ドレイン−ソース間電圧をＶｄｓ、ゲート−ソース間電圧をＶｇｓ、しきい値電圧をＶｔｈとしたときに、Ｖｄｓ＞Ｖｇｓ−Ｖｔｈの関係が成り立つような電圧を供給することを特徴とする請求項４に記載の光電変換装置。
【請求項６】
前記定電流源は、ゲートとソースとが相互に接続された定電流源用トランジスタを有することを特徴とする請求項１乃至３のいずれか１項に記載の光電変換装置。
【請求項７】
前記定電流源は、ゲートとソースとが抵抗を介して接続された定電流源用トランジスタを有することを特徴とする請求項１乃至３のいずれか１項に記載の光電変換装置。
【請求項８】
前記リセット用トランジスタ、前記読み出し用トランジスタ、前記選択用トランジスタ及び前記定電流源からなる群から選択された少なくとも１個は、アモルファスシリコン層又はポリシリコン層を用いて形成されていることを特徴とする請求項１乃至７のいずれか１項に記載の光電変換装置。
【請求項９】
放射線を吸収し、前記光電変換素子が検知可能な波長帯域の光を放出する蛍光体層を有することを特徴とする請求項１乃至８のいずれか１項に記載の光電変換装置。
【請求項１０】
前記光電変換素子は、ＰＩＮ型フォトダイオード又はＭＩＳ型センサであることを特徴とする請求項１乃至９のいずれか１項に記載の光電変換装置。
【請求項１１】
前記光電変換素子は放射線を直接電荷に変換する直接型光電変換素子であることを特徴とする請求項１乃至１０のいずれか１項に記載の光電変換装置。
【請求項１２】
前記直接型光電変換素子は、アモルファスセレン、ガリウム砒素、ガリウムリン、ヨウ化鉛、ヨウ化水銀、ＣｄＴｅ及びＣｄＺｎＴｅからなる群から選択された１種を材料とすることを特徴とする請求項１１に記載の光電変換装置。
【請求項１３】
光電変換素子と、
前記光電変換素子にソース又はドレインの一方が接続され、前記ソース又はドレインの他方がリセット用電源に接続されるリセット用トランジスタと、
前記光電変換素子にゲートが接続され、ソース又はドレインの一方が読み出し用電源に接続される読み出し用トランジスタと、
前記読み出し用トランジスタの前記ソース又はドレインの他方に接続された選択用トランジスタと、
を備え、２次元状に複数配列された画素と、
複数の前記画素に接続された複数の共通信号線と、
前記共通信号線に接続された定電流源と、
を絶縁性支持体上に有する光電変換装置であって、
前記共通信号線に接続された読み出し手段を有し、
前記定電流源と前記読み出し手段との間に複数の前記画素が位置していることを特徴とする光電変換装置。
【請求項１４】
前記定電流源は、複数の前記画素よりも前記読み出し手段から離間した前記共通信号線上の位置に設けられていることを特徴とする請求項１３に記載の光電変換装置。
【請求項１５】
請求項１乃至１４のいずれか１項に記載の光電変換装置と、Ｘ線発生装置と、制御手段とを有し、
前記制御手段は、Ｘ線発生装置および光電変換装置の動作を制御することにより、
被写体を透過したＸ線画像を読み取ることを特徴とするＸ線撮影システム。
【手続補正２】
【補正対象書類名】明細書
【補正対象項目名】００１６
【補正方法】変更
【補正の内容】
【００１６】
本発明に係る光電変換装置は、光電変換素子と、前記光電変換素子にソース又はドレインの一方が接続され、前記ソース又はドレインの他方がリセット用電源に接続されるリセット用トランジスタと、前記光電変換素子にゲートが接続され、ソース又はドレインの一方が読み出し用電源に接続される読み出し用トランジスタと、前記読み出し用トランジスタの前記ソース又はドレインの他方に接続された選択用トランジスタと、を備えた画素と、前記画素に接続された信号線と、前記信号線に接続された定電流源と、を絶縁性支持体上に備え、前記信号線に接続された読み出し手段を有する光電変換装置であって、前記定電流源は、前記画素よりも前記読み出し手段から離間した前記信号線上の位置に設けられていることを特徴とする。
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
中に形成された終点検出のための窓を有する研磨パッドを含むケミカルメカニカル研磨パッドであって、前記窓が、脂肪族ポリイソシアネート、ヒドロキシル含有材料及び硬化剤の反応生成物であり、前記脂肪族ポリイソシアネートが１４％未満の未反応イソシアネート基を有するものである研磨パッド。
【請求項２】
前記脂肪族ジイソシアネートが、メチレンビス４，４′−シクロヘキシルイソシアネート、シクロヘキシルジイソシアネート、イソホロンジイソシアネート、ヘキサメチレンジイソシアネート、プロピレン−１，２−ジイソシアネート、テトラメチレン−１，４−ジイソシアネート、１，６−ヘキサメチレン−ジイソシアネート、ドデカン−１，１２−ジイソシアネート、シクロブタン−１，３−ジイソシアネート、シクロヘキサン−１，３−ジイソシアネート、シクロヘキサン−１，４−ジイソシアネート、１−イソシアナト−３，３，５−トリメチル−５−イソシアナトメチルシクロヘキサン、メチルシクロヘキシレンジイソシアネート、ヘキサメチレンジイソシアネートのトリイソシアネート、２，４，４−トリメチル−１，６−ヘキサンジイソシアネートのトリイソシアネート、ヘキサメチレンジイソシアネートのウレトジオン、エチレンジイソシアネート、２，２，４−トリメチルヘキサメチレンジイソシアネート、２，４，４−トリメチルヘキサメチレンジイソシアネート、ジシクロヘキシルメタンジイソシアネート及びこれらの混合物を含む群から選択される、請求項１記載の研磨パッド。
【請求項３】
前記ヒドロキシル含有基が、ポリエーテルポリオール、ヒドロキシ末端ポリブタジエン、ポリエステルポリオール、ポリカプロラクトンポリオール、ポリカーボネートポリオール及びこれらの混合物を含む群から選択される、請求項１記載の研磨パッド。
【請求項４】
ケミカルメカニカル研磨パッドを形成する方法であって、
中に形成された終点検出のための窓を有する研磨パッドを用意することを含み、
前記窓が、脂肪族ポリイソシアネート、ヒドロキシル含有材料及び硬化剤の反応から形成され、前記脂肪族ポリイソシアネートが１４％未満の未反応イソシアネート基を有するものである方法。
【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
レーザ発振器と、
前記レーザ発振器から出力されたレーザビームを分割し、かつ前記分割されたレーザビームを重ね合わせることで、所定の平面上にビームスポットを形成する軸外しレンズアレイと、
前記軸外しレンズアレイを通過したレーザビームを伝達することによって、照射面に前記ビームスポットを形成する結像光学系とを有し、
前記軸外しレンズアレイを構成するレンズは、前記レンズの中心軸から主点の位置がずれていることを特徴とするレーザ照射装置。
【請求項２】
請求項１において、前記ビームスポットの形状は、長方形状であることを特徴とするレーザ照射装置。
【請求項３】
請求項１又は２において、前記軸外しレンズアレイは、軸外しシリンドリカルレンズアレイであり、前記結像光学系は、シリンドリカルレンズであることを特徴とするレーザ照射装置。
【請求項４】
請求項３において、前記軸外しシリンドリカルレンズアレイ及び前記シリンドリカルレンズは、前記ビームスポットの短辺方向に曲率を持つことを特徴とするレーザ照射装置。
【請求項５】
レーザ発振器と、
前記レーザ発振器から出力されたレーザビームを分割し、前記分割されたレーザビームを重ね合わせることによって長方形状のビームスポットを照射面において形成する軸外しシリンドリカルレンズアレイとを有し、
前記軸外しレンズアレイは、前記長方形状のビームスポットの長辺方向に曲率を有し、
前記軸外しシリンドリカルレンズアレイを構成するシリンドリカルレンズは、前記シリンドリカルレンズの中心軸から主点の位置がずれていることを特徴とするレーザ照射装置。
【請求項６】
レーザ発振器と、
前記レーザ発振器から出力されたレーザビームを分割し、かつ前記分割されたレーザビームを重ね合わせることで短辺方向に強度分布が均一化された第１の長方形状の像を第１の平面において形成する第１の軸外しシリンドリカルレンズアレイと、
前記第１の軸外しシリンドリカルレンズアレイを通過したレーザビームを前記第１の長方形状の像の長辺方向に分割し、前記分割されたレーザビームを重ね合わせることで長辺方向に強度分布が均一化された第２の長方形状のビームスポットを第２の平面において形成する第２の軸外しシリンドリカルレンズアレイと、
前記第２の軸外しシリンドリカルレンズアレイを通過したレーザビームを伝達することによって照射面に前記第２の長方形状のビームスポットを形成する結像光学系とを有し、
前記第１の軸外しシリンドリカルレンズアレイ及び前記第２の軸外しシリンドリカルレンズアレイが有するシリンドリカルレンズは、前記シリンドリカルレンズの中心軸から主点の位置がずれていることを特徴とするレーザ照射装置。
【請求項７】
請求項１乃至６のいずれか一において、前記レーザ発振器はエキシマレーザであることを特徴とするレーザ照射装置。
【請求項８】
基板に非晶質半導体膜を形成し、
軸外しレンズアレイを用いて所定の平面上にビームスポットを形成し、
結像光学系によって前記軸外しレンズアレイを通過したレーザビームを伝達し、前記非晶質半導体膜に照射することによって前記非晶質半導体膜上に前記ビームスポットを形成してレーザアニールする半導体装置の作製方法であって、
前記軸外しレンズアレイが有するレンズは、前記レンズの中心軸から主点の位置がずれていることを特徴とする半導体装置の作製方法。
【請求項９】
請求項８において、前記ビームスポットの形状は長方形状であることを特徴とする半導体装置の作製方法。
【請求項１０】
請求項８又は９において、前記軸外しレンズアレイは、軸外しシリンドリカルレンズアレイであり、前記結像光学系は、シリンドリカルレンズであることを特徴とする半導体装置の作製方法。
【請求項１１】
請求項１０において、前記軸外しシリンドリカルレンズアレイ及び前記シリンドリカルレンズは、前記長方形状の像の短辺方向に曲率を持つことを特徴とする半導体装置の作製方法。
【請求項１２】
基板に非晶質半導体膜を形成し、
軸外しシリンドリカルレンズアレイによりレーザビームを分割し、且つ前記分割されたレーザビームを照射面上において重ね合わせることによって、長辺方向に曲率を持つ強度分布が均一な長方形状のビームスポットを形成し、
前記軸外しシリンドリカルレンズアレイを通過したレーザビームを前記非晶質半導体膜に照射することによって前記非晶質半導体膜上に前記長方形状のビームスポットを形成してレーザアニールする半導体装置の作製方法であって、
前記軸外しシリンドリカルレンズアレイを構成するシリンドリカルレンズは、前記シリンドリカルレンズの中心軸から主点の位置がずれていることを特徴とする半導体装置の作製方法。
【請求項１３】
基板に非晶質半導体膜を形成し、
第１の軸外しシリンドリカルレンズアレイによって、レーザ発振器から射出されたレーザビームを分割し、且つ前記分割されたレーザビームを第１の平面において重ね合わせることによって、短辺方向の強度分布が均一化された第１の長方形状の像を形成し、
第２の軸外しシリンドリカルレンズアレイによって、前記第１の軸外しシリンドリカルレンズアレイを通過したレーザビームを前記第１の長方形状の像の長辺方向に分割し、分割されたレーザビームを第２の平面において重ね合わせることによって長辺方向に強度分布が均一な第２の長方形状のビームスポットを形成し、
結像光学系によって、前記第２の軸外しシリンドリカルレンズアレイを通過したレーザビームを伝達し、前記非晶質半導体膜に照射することによって前記非晶質半導体膜上に前記第２の長方形状のビームスポットを形成してレーザアニールする半導体装置の作製方法であって、
前記第１の軸外しシリンドリカルレンズアレイ及び前記第２の軸外しシリンドリカルレンズアレイを構成するシリンドリカルレンズは、前記シリンドリカルレンズの中心軸から主点の位置がずれていることを特徴とする半導体装置の作製方法。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
撮像面に結像される光学像に対して電子ズーム又は光学ズームを行うズーム手段と、前記ズームが行われている光学像を映像信号に変換する変換手段と、前記変換手段による前記変換のタイミングに合わせて音声信号を取得する取得手段と、前記変換された映像信号及び前記取得された音声信号を音声付き動画として記録する記録手段とを備え、
前記ズーム手段は、前記光学ズームを行ってから前記電子ズームを行う第１のモードと、前記光学ズームを行う前に前記電子ズームを行う第２のモードとを有し、前記音声付き動画を記録する場合には前記第２のモードで制御することを特徴とする電子カメラ。
【請求項２】
前記電子ズームによる変倍率は、拡大のための補間が不要な範囲内にあることを特徴とする請求項１記載の電子カメラ。
【手続補正２】
【補正対象書類名】明細書
【補正対象項目名】０００８
【補正方法】変更
【補正の内容】
【０００８】
請求項１記載の電子カメラは、撮像面に結像される光学像に対して電子ズーム又は光学ズームを行うズーム手段と、前記ズームが行われている光学像を映像信号に変換する変換手段と、前記変換手段による前記変換のタイミングに合わせて音声信号を取得する取得手段と、前記変換された映像信号及び前記取得された音声信号を音声付き動画として記録する記録手段とを備え、前記ズーム手段は、前記光学ズームを行ってから前記電子ズームを行う第１のモードと、前記光学ズームを行う前に前記電子ズームを行う第２のモードとを有し、前記音声付き動画を記録する場合には前記第２のモードで制御することを特徴とする。
【手続補正３】
【補正対象書類名】明細書
【補正対象項目名】００１０
【補正方法】変更
【補正の内容】
【００１０】
請求項１記載の電子カメラによれば、撮像面に結像され、電子ズーム又は光学ズームが行われている光学像を映像信号に変換するタイミングに合わせて音声信号を取得し、変換された映像信号及び取得された音声信号を音声付き動画として記録するとき、光学ズームを行う前に電子ズームを行うので、動画のズーム中に記録される音声にノイズが入ることを防止することができる。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
全体画像を表示する際に、第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
前記第１及び第２の画像投射手段によってそれぞれ部分画像を表示することにより前記全体画像を表示する際の画像表示制御方法であって、
前記重複領域内に表示される表示画像が前記第１及び第２の画像投射手段による部分画像のうちのいずれか一方のみの部分画像を用いて表示するように且つ所定のタイミングで変化するように、前記重複領域内の分割位置を生成する分割位置生成ステップと、
前記分割位置生成ステップによって生成された分割位置に基づき前記重複領域内の画像を分割する画像分割ステップと、
を有することを特徴とする画像表示制御方法。
【請求項２】
前記画像投射手段は、光制御素子を有し、
前記光制御素子は、時間に基づくディジタルの階調表現を行う光スイッチング素子であり、
前記分割位置生成ステップは、
前記全体表示画像を表示する際の前記ディジタルの階調表現を行う時間のうち、所定時間を前記第１の画像投射手段の前記光スイッチング素子を用いて表示し、前記所定時間以外の少なくとも一部の時間を前記第２の画像投射手段の前記光スイッチング素子を用いて表示するように前記分割位置を示す情報を生成することを特徴とする画像表示制御方法。
【請求項３】
全体画像を表示する際に、第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
前記第１及び第２の画像投射手段によってそれぞれ部分画像を表示することにより前記全体画像を表示する際に用いる画像表示制御装置であって、
前記重複領域内に表示される表示画像が前記第１及び第２の画像投射手段による部分画像のうちのいずれか一方のみの部分画像を用いて表示するように且つ所定のタイミングで変化するように、前記重複領域内の分割位置を生成する分割位置生成手段と、
前記分割位置生成ステップによって生成された分割位置に基づき前記重複領域内の画像を分割する画像分割手段と、
を有することを特徴とする画像表示制御装置。
【請求項４】
全体画像を表示する際に、第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
前記第１及び第２の画像投射手段によってそれぞれ部分画像を表示することにより前記全体画像を表示する際の画像表示制御プログラムであって、
前記重複領域内に表示される表示画像が前記第１及び第２の画像投射手段による部分画像のうちのいずれか一方のみの部分画像を用いて表示するように且つ所定のタイミングで変化するように、前記重複領域内の分割位置を生成する分割位置生成手順と、
前記分割位置生成ステップによって生成された分割位置に基づき前記重複領域内の画像を分割する画像分割手順と、
を有することを特徴とする画像表示制御方法。
【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
画像形成素子に形成された原画を、ズームが可能な投射光学系により投射する画像投射装置であって、
前記投射光学系のズーム状態を検出するズーム検出手段と、
前記画像投射装置の傾き角度を検出する傾き検出手段と、
検出された前記ズーム状態および傾き角度に基づいて、投射画像の幾何学歪みを補正するよう前記画像形成素子の駆動を制御する制御手段とを有し、
前記ズーム検出手段および前記傾き検出手段は、前記ズーム状態および前記傾き角度の変化範囲を複数に分割した領域ごとに前記ズーム状態および前記傾き角度を検出することを特徴とする画像投射装置。
【請求項２】
前記ズーム検出手段および前記傾き検出手段により検出された前記ズーム状態および前記傾き角度の領域ごとに前記幾何学歪みを補正するためのデータを記憶した記憶手段を有し、
前記制御手段は、前記記憶手段に記憶されたデータの中から、検出された前記領域に対応するデータを選択して前記画像形成素子の駆動を制御することを特徴とする請求項１に記載の画像投射装置。
【請求項３】
前記ズーム状態の変化範囲の分割数が、前記傾き角度が最大許容角度にある状態での前記ズーム状態の変化に応じた前記投射画像の幾何学歪み率の変化量が許容範囲内となる前記ズーム状態の変化量に応じて設定されていることを特徴とする請求項１又は２に記載の画像投射装置。
【請求項４】
前記傾き角度の変化範囲の分割数が、前記ズーム状態が広角端にある状態での前記傾き角度の変化に対する前記投射画像の幾何学歪み率の変化量が許容範囲内となる前記傾き角度の変化量に応じて設定されていることを特徴とする請求項１又は２に記載の画像投射装置。
【手続補正２】
【補正対象書類名】明細書
【補正対象項目名】０００９
【補正方法】変更
【補正の内容】
【０００９】
ここで、ズーム状態の変化範囲の分割数を、傾き角度が最大許容角度にある状態でのズーム状態の変化に応じた投射画像の幾何学歪み率の変化量が許容範囲内となるズーム状態の変化量に応じて設定することができる。このように、ズーム状態の変化範囲を複数に分割した領域のうち各領域における幾何学歪み率の変化量が許容範囲内となるようにズーム状態の変化範囲の分割数を設定することで、投射画像に生じる幾何学歪みを必要最低限で抑制することができる。
【手続補正３】
【補正対象書類名】明細書
【補正対象項目名】００１０
【補正方法】変更
【補正の内容】
【００１０】
また、傾き角度の変化範囲の分割数を、ズーム状態が広角端にある状態での傾き角度の変化に対する投射画像の幾何学歪み率の変化量が許容範囲内となる傾き角度の変化量に応じて設定することができる。このように、傾き角度の変化範囲を複数に分割した領域のうち各領域における幾何学歪み率の変化量が許容範囲内となるように傾き角度の変化範囲の分割数を設定することで、投射画像に生じる幾何学歪みを必要最低限で抑制することができる。
【手続補正４】
【補正対象書類名】明細書
【補正対象項目名】００３６
【補正方法】変更
【補正の内容】
【００３６】
本実施例では、液晶プロジェクター１の傾き角θを３２分割し、ズーム範囲を８分割して各々の分割された領域を傾き角検出回路１１、ズーム位置検出回路１０により検出する。ここで、検出回路１０、１１は各種のエンコーダ、センサを用いることができ、デジタル的あるいはアナログ的に上記の分割領域を検出できればよい。
【手続補正５】
【補正対象書類名】明細書
【補正対象項目名】００４４
【補正方法】変更
【補正の内容】
【００４４】
【図１】本発明の実施例１である液晶プロジェクターのブロック図。
【図２】液晶プロジェクターを傾けて、スクリーンに対して画像を投射した状態を示す図。
【図３】投射レンズのズーム位置に応じた投射画角の変化を示す図。
【図４】投射レンズのズーム位置に応じたスクリーン面上の歪の状態を示す図（Ａ）と、液晶パネルに形成される原画の状態を示す図（Ｂ）。
【図５】ズーム位置をパラメータとしたときの傾き角に対する台形歪の歪率変化を示す図。
【図６】傾き角をパラメータとしたときのズーム位置に対する台形歪の歪率変化を示す図。
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
入射される光学信号を撮像し映像信号を出力する撮像手段と、
自装置の撮影環境における光を検出して、前記撮影環境が屋外であるか屋内であるかを判定する判定手段と、
前記判定手段における判定結果に基づいて、前記撮像手段からの映像信号に対してホワイトバランス処理を行うホワイトバランス処理手段と、
前記判定手段における判定結果に基づいて、前記撮像手段からの映像信号を変換して表示用映像信号を生成する表示制御手段と、
前記生成された表示用映像信号を表示する表示手段と、
を備える撮像装置。
【請求項２】
前記撮像手段は、
レンズと、
前記レンズを介して入射される光学信号の光量を制御する光量制御手段と、
前記光量制御手段からの光学信号を撮像し映像信号として出力する撮像素子と、を含み、
前記判定手段は、前記検出した自装置の撮影環境における光及び前記光量制御手段からの制御信号に基づいて、前記撮影環境が屋外であるか屋内であるかを判定する、
請求項１に記載の撮像装置。
【請求項３】
前記表示制御手段は、前記判定手段における判定に基づいて、前記撮像手段からの映像信号に対して、ホワイトバランス変換、ガンマ補正及びＲＧＢ信号レベル変換のうち少なくとも一つの変換処理を施すことにより、表示用映像信号を生成する、
請求項１又は２に記載の撮像装置。
【手続補正２】
【補正対象書類名】明細書
【補正対象項目名】００１４
【補正方法】変更
【補正の内容】
【００１４】
本発明の撮像装置は、入射される光学信号を撮像し映像信号を出力する撮像手段と、自装置の撮影環境における光を検出して、前記撮影環境が屋外であるか屋内であるかを判定する判定手段と、前記判定手段における判定結果に基づいて、前記撮像手段からの映像信号に対してホワイトバランス処理を行うホワイトバランス処理手段と、前記判定手段における判定結果に基づいて、前記撮像手段からの映像信号を変換して表示用映像信号を生成する表示制御手段と、前記生成された表示用映像信号を表示する表示手段と、を備える。
【手続補正３】
【補正対象書類名】明細書
【補正対象項目名】００１７
【補正方法】変更
【補正の内容】
【００１７】
本発明の撮像装置は、入射される光学信号を撮像し映像信号を出力する撮像手段と、自装置の撮影環境における光を検出して、前記撮影環境が屋外であるか屋内であるかを判定する判定手段と、前記判定手段における判定結果に基づいて、前記撮像手段からの映像信号に対してホワイトバランス処理を行うホワイトバランス処理手段と、前記判定手段における判定結果に基づいて、前記撮像手段からの映像信号を変換して表示用映像信号を生成する表示制御手段と、前記生成された表示用映像信号を表示する表示手段と、を備える。これにより、カメラで必須の絞り情報や、屋外検出センサーを利用することにより使用環境を判定し液晶画質をコントロールし視認性を高めるという目的を、部材の増加無し、すなわちコストアップせずに実現することができる。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
入力色空間で表現された複数種類の多次色のパッチデータを出力デバイスに出力させる出力手段と、
前記出力デバイスから出力された各パッチの絶対色空間における色値を測定により得る測色手段と、
前記入力色空間と前記絶対色空間との対応関係を記述した第１の色変換テーブルに基づいて、前記入力色空間で表現される多次色のパッチデータを前記絶対色空間に変換して基準値を求める基準値算出手段と、
前記測色手段により測定された色値と、対応する前記基準値との距離を算出する距離算出手段と、
前記距離算出手段による算出結果に基づいて、前記絶対色空間と出力色空間との対応関係を記述した第２の色変換テーブルを修正する修正手段と、
を有することを特徴とする画像処理装置。
【請求項２】
前記距離算出手段は、算出した前記距離に、その距離に応じた重み付けを行うことを特徴とする請求項１に記載の画像処理装置。
【請求項３】
前記距離算出手段で算出される各距離のスムージングを行う手段を更に有することを特徴とする請求項１または２に記載の画像処理装置。
【請求項４】
画像データを入力する入力手段と、
色再現精度もしくは処理速度に係るユーザの要求を受信する受信手段と、
前記画像データと前記ユーザの要求とに基づいて前記パッチデータを生成するパッチデータ生成手段と、
を更に有することを特徴とする請求項１から３までのいずれか一項に記載の画像処理装置。
【請求項５】
前記パッチデータ生成手段は、
前記ユーザの要求に応じて生成するパッチの個数を設定する手段と、
前記画像データにおける画素に対し、設定された前記パッチの個数でクラスタリングを行う手段と、
各クラスタに係るパッチの基準値を算出する手段と、
を含むことを特徴とする請求項４に記載の画像処理装置。
【請求項６】
画像データを入力する入力手段と、
入力された前記画像データのうち、ユーザの操作に基づいてオブジェクト領域を指定する指定手段と、
指定された前記オブジェクト領域に基づいて前記パッチデータを生成するパッチデータ生成手段と、
を更に有することを特徴とする請求項１から３までのいずれか一項に記載の画像処理装置。
【請求項７】
入力色空間で表現された複数種類の多次色のパッチデータを出力デバイスに出力させる出力ステップと、
前記出力デバイスから出力された各パッチの絶対色空間における色値を測定により得る測色ステップと、
前記入力色空間と前記絶対色空間との対応関係を記述した第１の色変換テーブルに基づいて、前記入力色空間で表現される多次色のパッチデータを前記絶対色空間に変換して基準値を求める基準値算出ステップと、
前記測色ステップで測定された色値と、対応する前記基準値との距離を算出する距離算出ステップと、
前記距離算出ステップによる算出結果に基づいて、前記絶対色空間と出力色空間との対応関係を記述した第２の色変換テーブルを修正する修正ステップと、
を有することを特徴とする画像処理方法。
【請求項８】
前記距離算出ステップは、算出した前記距離に、その距離に応じた重み付けを行うことを特徴とする請求項７に記載の画像処理方法。
【請求項９】
前記距離算出ステップで算出される各距離のスムージングを行うステップを更に有することを特徴とする請求項７または８に記載の画像処理方法。
【請求項１０】
画像データを入力する入力ステップと、
色再現精度もしくは処理速度に係るユーザの要求を受信する受信ステップと、
前記画像データと前記ユーザの要求とに基づいて前記パッチデータを生成するパッチデータ生成ステップと、
を更に有することを特徴とする請求項７から９までのいずれか一項に記載の画像処理方法。
【請求項１１】
前記パッチデータ生成ステップは、
前記ユーザの要求に応じて生成するパッチの個数を設定するステップと、
前記画像データにおける画素に対し、設定された前記パッチの個数でクラスタリングを行うステップと、
各クラスタに係るパッチの基準値を算出するステップと、
を含むことを特徴とする請求項１０に記載の画像処理方法。
【請求項１２】
画像データを入力する入力ステップと、
入力された前記画像データのうち、ユーザの操作に基づいてオブジェクト領域を指定する指定ステップと、
指定された前記オブジェクト領域に基づいて前記パッチデータを生成するパッチデータ生成ステップと、
を更に有することを特徴とする請求項７から９までのいずれか一項に記載の画像処理方法。
【請求項１３】
請求項７から１２までのいずれか一項に記載の方法をコンピュータに実行させるためのプログラム。
【請求項１４】
請求項１３に記載のプログラムを格納したコンピュータ読み取り可能な記憶媒体。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
処理対象となった画像データを圧縮処理に供する画像処理装置であって、
前記画像データに対して、レイアウト解析処理を適用する手段と、
前記レイアウト解析処理の結果に基づいて、文字部分の画像要素を特定する手段と、
前記文字部分として特定された画像要素と、それ以外の部分とについて、互いに異なる圧縮方法での圧縮処理を行う手段と、
を含むことを特徴とする画像処理装置。
【請求項２】
処理対象となった画像データから、画素が連続する部分からなる複数の画素群を特定する画素群特定手段と、
前記画素群の各々に関する矩形を、基本矩形として画定する基本矩形画定手段と、
前記基本矩形同士を所定の連結条件に基づいて水平又は垂直方向に関連づけ、互いに関連づけられた基本矩形に関係する矩形を行矩形として、少なくとも一つ画定する行矩形画定手段と、
前記行矩形の数、又は各行矩形の性状を表す情報に基づいて、各行矩形に文字が含まれているか否かを判断する第１判断手段と、
を含み、
文字が含まれていると判断された行矩形内の前記画素群を文字部分として特定することを特徴とする画像処理装置。
【請求項３】
請求項２に記載の画像処理装置において、
前記行矩形に関係する基本矩形に関する情報に基づいて、当該行矩形に文字が含まれているか否かを判断する第２判断手段、
をさらに含むことを特徴とする画像処理装置。
【請求項４】
請求項２又は３に記載の画像処理装置において、
前記第１判断手段における判断に用いられる行矩形の性状を表す情報には、各行矩形の配置位置又は面積比の少なくとも一方の情報を含むことを特徴とする画像処理装置。
【請求項５】
処理対象となった画像データから文字部分の画像要素を特定し、当該特定結果を圧縮処理に供する画像処理方法であって、
前記画像データに対して、レイアウト解析処理を適用する工程と、
前記レイアウト解析処理の結果に基づいて、文字部分の画像要素を特定する工程と、
前記文字部分として特定された画像要素と、それ以外の部分とについて、互いに異なる圧縮方法での圧縮処理を行う工程と、
を含むことを特徴とする画像処理方法。
【請求項６】
コンピュータに、処理対象となった画像データから文字部分の画像要素を特定し、当該特定結果に基づく圧縮処理を行わせるプログラムであって、
前記画像データに対して、レイアウト解析処理を適用する手順と、
前記レイアウト解析処理の結果に基づいて、文字部分の画像要素を特定する手順と、
前記文字部分として特定された画像要素と、それ以外の部分とについて、互いに異なる圧縮方法での圧縮処理を行う手順と、
を含むことを特徴とするプログラム。
【手続補正２】
【補正対象書類名】明細書
【補正対象項目名】発明の名称
【補正方法】変更
【補正の内容】
【発明の名称】画像処理装置及びプログラム
【手続補正３】
【補正対象書類名】明細書
【補正対象項目名】０００１
【補正方法】変更
【補正の内容】
【０００１】
本発明は、画像データから文字部分を特定する画像処理装置及びプログラムに関する。
【手続補正４】
【補正対象書類名】明細書
【補正対象項目名】０００６
【補正方法】変更
【補正の内容】
【０００６】
上記従来例の問題点を解決するための本発明は、処理対象となった画像データを圧縮処理に供する画像処理装置であって、前記画像データに対して、レイアウト解析処理を適用する手段と、前記レイアウト解析処理の結果に基づいて、文字部分の画像要素を特定する手段と、前記文字部分として特定された画像要素と、それ以外の部分とについて、互いに異なる圧縮方法での圧縮処理を行う手段と、を含むことを特徴としている。
【手続補正５】
【補正対象書類名】明細書
【補正対象項目名】０００７
【補正方法】変更
【補正の内容】
【０００７】
上記従来例の問題点を解決するための本発明は、画像処理装置であって、処理対象となった画像データから、所定画素値の画素が連続する部分からなる複数の画素群を特定する画素群特定手段と、前記画素群の各々に関する矩形を、基本矩形として画定する基本矩形画定手段と、前記基本矩形同士を所定の連結条件に基づいて水平又は垂直方向に関連づけ、互いに関連づけられた基本矩形に関係する矩形を行矩形として、少なくとも一つ画定する行矩形画定手段と、前記行矩形の数、又は各行矩形の性状を表す情報に基づいて、各行矩形に文字が含まれているか否かを判断する第１判断手段と、を含み、文字が含まれていると判断された行矩形内の前記画素群を文字部分として特定することを特徴としている。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
処理対象となった画像データの少なくとも一部から個々の文字と判断される画素塊を含む基本領域を画定する手段と、
前記画定された基本領域ごとに、当該基本領域内の画素値に基づいて少なくとも１つの代表画素値を決定する代表値決定手段と、
前記決定された代表画素値ごとに、当該代表画素値と、当該代表画素値に対応した基本領域を画定する基本領域画定情報とを関連づけて、同一色領域情報を生成する手段と、
前記基本領域を包含する包含画像データであって、少なくともいずれかの代表画素値に設定されるべき画素の位置を示す情報を含む包含画像データを生成する手段と、
を含むことを特徴とする画像処理装置。
【請求項２】
請求項１に記載の画像処理装置であって、
前記包含画像データを生成する手段は、少なくともいずれかの代表画素値に設定されるべき画素の位置を示す情報として、当該包含画像データに包含されている基本領域内の各画素の値を二値化して得たビットマップ情報を含む包含画像データを生成することを特徴とする画像処理装置。
【請求項３】
請求項１又は２に記載の画像処理装置であって、
前記包含画像データに含まれる、前記少なくともいずれかの代表画素値に設定されるべき画素の位置を示す情報は所定圧縮処理されていることを特徴とする画像処理装置。
【請求項４】
請求項１から３のいずれか一項に記載の画像処理装置であって、
前記決定された代表画素値ごとに、当該代表画素値に対応した少なくとも一つの基本領域を対象基本領域として、当該対象基本領域を包含し、当該対象基本領域内の画素を含んでなる色別包含画像データを生成する手段と、
前記色別包含画像データを含む第１画像データのサイズと、前記同一色領域情報及び包含画像データを含む第２画像データのサイズとを比較し、第１画像データと第２画像データとのうちいずれかサイズの小さい方を出力する手段と、
を含むことを特徴とする画像処理装置。
【請求項５】
処理対象となった画像データの少なくとも一部内において画定され、個々の文字と判断される画素塊を含む基本領域の各々について、当該基本領域内の画素値に基づいて少なくとも１つの代表画素値が決定されており、
前記決定された代表画素値ごとに、当該代表画素値と、当該代表画素値に対応した基本領域を画定する基本領域画定情報とを関連づけた同一色領域情報と、
前記基本領域を包含する包含画像データであって、少なくともいずれかの代表画素値に設定されるべき画素の位置を再現するための情報を含む包含画像データと、
を含むことを特徴とする画像データのデータ構造。
【請求項６】
コンピュータに、
処理対象となった画像データの少なくとも一部から個々の文字と判断される画素塊を含む基本領域を画定する手順と、
前記画定された基本領域ごとに、当該基本領域内の画素値に基づいて少なくとも１つの代表画素値を決定する手順と、
前記決定された代表画素値ごとに、当該代表画素値と、当該代表画素値に対応した基本領域を画定する基本領域画定情報とを関連づけて、同一色領域情報を生成する手順と、
前記基本領域を包含する包含画像データであって、少なくともいずれかの代表画素値に設定されるべき画素の位置を示す情報を含む包含画像データを生成する手順と、
を実行させることを特徴とする画像処理プログラム。
【手続補正２】
【補正対象書類名】明細書
【補正対象項目名】発明の名称
【補正方法】変更
【補正の内容】
【発明の名称】画像処理装置及びプログラム
【手続補正３】
【補正対象書類名】明細書
【補正対象項目名】０００１
【補正方法】変更
【補正の内容】
【０００１】
本発明は、画像データから文字部分と絵柄部分とを分離して所定処理を行う画像処理装置及びプログラムに関する。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
処理対象となった画像データ内に画定される注目画像領域内の画素値に基づいて当該注目画像領域の代表色を決定する画像処理装置であって、
前記注目画像領域から代表色候補値を決定する手段と、
前記決定された代表色候補値について、その輝度を補正して、代表色を決定する補正手段と、
を含み、
前記決定された代表色の情報が、前記処理対象となった画像データに対する所定処理に供されることを特徴とする画像処理装置。
【請求項２】
請求項１に記載の画像処理装置において、
前記補正手段は、
前記代表色候補値の輝度成分について、
少なくとも入力値が最小値ＭＩＮから第１しきい値ＴＨ１までに対する出力値が最小値ＭＩＮであり、
第２しきい値ＴＨ２（ただしＴＨ２＞ＴＨ１）から、最大値ＭＡＸまでに対する出力値が最大値ＭＡＸであるように設定された、
補正関数に基づいて補正することを特徴とする画像処理装置。
【請求項３】
請求項２に記載の画像処理装置において、
前記補正関数は、さらに、
入力値が最大値と最小値との間の中央の値ＭＩＤであるときに、これに対する出力値が略ＭＩＤとなるように設定されていることを特徴とする画像処理装置。
【請求項４】
請求項１に記載の画像処理装置において、
前記補正手段は、前記代表色候補値の色差成分が所定条件を満足しているときに、当該代表色候補値の輝度成分値に関する階調数を低減する補正を行い、当該補正後の値を代表値として決定することを特徴とする画像処理装置。
【請求項５】
コンピュータに、注目画像領域内の画素値に基づいて当該注目画像領域の代表色を決定させる画像処理プログラムであって、
前記注目画像領域から代表色候補値を決定する手順と、
前記決定された代表色候補値について、その輝度を補正して、代表色を決定する補正手順と、
をコンピュータに実行させることを特徴とする画像処理プログラム。
【手続補正２】
【補正対象書類名】明細書
【補正対象項目名】発明の名称
【補正方法】変更
【補正の内容】
【発明の名称】画像処理装置及びプログラム
【手続補正３】
【補正対象書類名】明細書
【補正対象項目名】０００１
【補正方法】変更
【補正の内容】
【０００１】
本発明は、画像データから文字部分を特定する画像処理装置及びプログラムに関する。